(57)【要約】【課題】  寄せ棟部の部分での断熱性を確保することができ、しかも寄せ棟部の登り梁に接続された垂木間において断熱シートと野地板との間に通気層を形成した場合に、この通気層内の空気を換気棟から効率良く排出することが可能になる寄せ棟屋根の寄せ棟部の断熱構造を提供する。【解決手段】  登り梁１の両側に垂木２を配置して取り付けると共にこの垂木２の上に野地板３を張って形成される寄せ棟屋根の寄せ棟部に関する。登り梁１の下側を間隔を置いて覆うように断熱シート４を配置し、この断熱シート４を登り梁１の長手方向に沿って取り付ける。登り梁１の下側を覆う断熱シート４によって、寄せ棟部の部分での断熱性を確保することができる。また断熱シート４の上側に、登り梁１に沿って棟木２に至る通気層１４を形成することができ、垂木２間の通気層１３を上昇してきた空気をこの通気層１４を通して棟木２の上の換気棟に導くことができる。【選択図】  図１
2006152565.tif 000002
【特許請求の範囲】
【請求項１】
登り梁の両側に垂木を配置して取り付けると共にこの垂木の上に野地板を張って形成される寄せ棟屋根の寄せ棟部において、登り梁の下側を間隔を置いて覆うように断熱シートを配置し、この断熱シートを登り梁の長手方向に沿って取り付けて成ることを特徴とする寄せ棟屋根の寄せ棟部の断熱構造。
【請求項２】
断熱シートの両側に通気シートを設け、この通気シートを垂木に固定することによって、断熱シートの取り付けを行なうようにして成ることを特徴とする請求項１に記載の寄せ棟屋根の寄せ棟部の断熱構造。
【発明の詳細な説明】
【技術分野】
【０００１】
本発明は、寄せ棟屋根における寄せ棟部の断熱構造に関するものである。
【背景技術】
【０００２】
図７は寄せ棟屋根の骨組みを示す概略図であり、水平な棟木１０の両端部にそれぞれ一対の登り梁１を屋根傾斜に合わせて配置すると共に各登り梁１の上端部を棟木１０に接続してある。棟木１０の両側には屋根傾斜に合わせて垂木２（棟木１０に接続される垂木を「２ａ」の符号で表示する）を桁行き方向に配置して、この各垂木２ａの上端部が棟木１０に接続してある。また登り梁１の一方の側には棟木１０に接続される垂木２ａと平行に垂木２を配置すると共に登り梁１の他方の側には棟木１０に接続される垂木２ａと垂直な向きで垂木２を屋根傾斜に合わせて配置し（登り梁１に接続される垂木を「２ｂ」の符号で表示する）、この各垂木２ｂの上端部を登り梁１に接続してある。そして垂木２の上に野地板を張り、その上に屋根瓦を葺くことによって、寄せ棟屋根を施工することができるものである。
【０００３】
上記のように形成される寄せ棟屋根において、屋根の断熱構造は、例えば図８に示すように、野地板３の裏側において垂木２間に断熱シート４を取り付けることによって形成されている（特許文献１参照）。
【０００４】
また、棟木１０の上に換気棟１２が形成されているときには（図４参照）、図８のように断熱シート４は野地板３との間に隙間が形成されるように取り付けられるものであり、断熱シート４と野地板３との間の隙間によって隣合う垂木２間に通気層１３が形成されるようにしてある。そして野地板３の裏側に位置するこの通気層１３内の空気が太陽熱で加熱されると、加熱された空気は通気層１３内に沿って上昇して棟木１０の部分に達し、棟木１０の上に設けられた換気棟１２から外部に排出される。このように、野地板３と断熱シート４の間に通気層１３を形成することによって、太陽熱で加熱された空気が屋根裏に滞留することなく、換気棟１２からスムーズに排出することができるのである（例えば、特許文献２，３等参照）。
【特許文献１】特開平１０−２８０５７７号公報
【特許文献２】特開平５−１４４８号公報
【特許文献３】特開昭５３−３２９２０号公報
【発明の開示】
【発明が解決しようとする課題】
【０００５】
上記のように垂木２間に断熱シート４を取り付けることによって屋根の断熱構造を形成するようにしているが、寄せ棟屋根の寄せ棟部において、登り梁１の部分には断熱シート４は取り付けられていないので、寄せ棟部の部分での断熱性に問題を有するものであった。
【０００６】
また棟木１０に接続される垂木２ａの部分では、断熱シート４と野地板３の間の通気層１３の空気は垂木２ａに沿って上昇して、上記のように棟木１０の部分に至り、その上に設けられた換気棟１２から排出されるが、寄せ棟部の登り梁１に接続される垂木２ｂの部分では、垂木２ｂ間に形成されている通気層１３内の空気は上昇して登り梁１の部分に至るだけであり、垂木２ｂ間の通気層１３内の加熱された空気を換気棟１２から効率良く排出することができないという問題があった。
【０００７】
本発明は上記の点に鑑みてなされたものであり、寄せ棟部の部分での断熱性を確保することができ、しかも寄せ棟部の登り梁に接続された垂木間において通気層を形成した場合に、この通気層内の空気を換気棟から効率良く排出することが可能になる寄せ棟屋根の寄せ棟部の断熱構造を提供することを目的とするものである。
【課題を解決するための手段】
【０００８】
本発明の請求項１に係る寄せ棟屋根の寄せ棟部の断熱構造は、登り梁１の両側に垂木２を配置して取り付けると共にこの垂木２の上に野地板３を張って形成される寄せ棟屋根の寄せ棟部において、登り梁１の下側を間隔を置いて覆うように断熱シート４を配置し、この断熱シート４を登り梁１の長手方向に沿って取り付けて成ることを特徴とするものである。
【０００９】
このように登り梁１の下側を覆う断熱シート４によって、寄せ棟部の部分での断熱性を確保することができる。また登り梁１の下側に間隔を置いて配置される断熱シート４の上側に、登り梁１に沿って棟木１０に至る通気層１４を形成することができ、垂木２間の通気層１３を上昇してきた空気をこの通気層１４を通して棟木２の上の換気棟に導くことができる。
【００１０】
また請求項２の発明は、請求項１において、断熱シート４の両側に通気シート５を設け、この通気シート５を垂木２に固定することによって、断熱シート４の取り付けを行なうようにして成ることを特徴とするものである。
【００１１】
登り梁１や野地板３から放出される湿気は断熱シート４の両側の通気シート５を通過するものであり、断熱シート４の上側に湿気が滞留して、登り梁１や野地板３が湿気で腐ることを防ぐことができる。
【発明の効果】
【００１２】
本発明によれば、断熱シート４によって寄せ棟部の部分での断熱性を確保することができるものであり、しかも寄せ棟部の登り梁１に接続された垂木２間において通気層１３を形成した場合に、断熱シート４によって登り梁１に沿って形成される通気層１４によって、垂木２間の通気層１３内の空気を換気棟１２に導いて効率良く排出することが可能になる。
【発明を実施するための最良の形態】
【００１３】
以下、本発明を実施するための最良の形態を説明する。
【００１４】
寄せ棟屋根は既述した図７のような骨組みで形成されている。図２は屋根の頂部の棟木１０の部分を示す、図７のイ−イ線断面図であり、棟木１０の両側には屋根傾斜に合わせて傾斜する垂木２（２ａ）を桁行き方向に複数本平行に配置し、各垂木２ａの上端部を棟木１０に固定して接続してある。また図１は寄せ棟部の部分を示す、図７のロ−ロ線断面図であり、登り梁１の一方の側には棟木１０に接続される垂木２ａと平行に、登り梁１の他方の側には棟木１０に接続される垂木２ａと垂直な向きで、垂木２（２ｂ）を屋根傾斜に合わせて傾斜させて配置し、各垂木２ｂの上端部を登り梁１の側面に固定して接続してある。そしてこれらの垂木２の上に野地板３を張り、その上にアスファルトルーフィング等の防水シート１６を敷くと共にさらにその上にスレート瓦等の屋根瓦１１を葺くことによって（図３及び図４参照）、寄せ棟屋根を形成することができるものである。
【００１５】
図４は屋根の頂部において棟木１０の上に設けられる換気棟１２の一例を示すものである。棟木１０の上の部分には野地板３や屋根瓦１１等を切り欠いて換気用開口部１８が形成してあり、この換気用開口部１８を上方から覆って棟を跨ぐように換気棟１２が取り付けてある。屋根裏の空気は、換気用開口部１８を通過した後に、換気棟１２から外部に排出されるようになっており、また雨水が換気用開口部１８から屋根裏に浸入することを換気棟１２で防ぐようになっている。
【００１６】
また、野地板３の裏面側には隣合う垂木２間において断熱シート４を取り付けることによって、屋根の断熱構造を形成するようにしてある。断熱シート４は図５に示すように、多数の空気封入セルを備えたエアマットと通称されるプラスチックシートからなる断熱材２０の両面に、熱反射性を有するアルミニウム箔などからなる射熱材２１を接着等して積層することによって形成したものを用いることができるものである。断熱シート４は細長い矩形に形成されるものであり、その幅寸法は隣合う垂木２間の間隔寸法と同程度に形成してある。また断熱シート４の幅方向の両側端部には全長に亘って通気シート５が接着や縫着等で取り付けてある。この通気シート５は、空気や水蒸気（湿気）は通すが水は通過させない透湿防水シートや通気防水シートなどの不織布で形成することができるものであり、例えば旭・デュポンフラッシュ株式会社製「デュポンタイベック１０６０Ｂ」（商品名）や宇部気密ハウジング株式会社製「ジョシーツＬＸ」（商品名）を使用することができる。また図５の実施の形態では、通気シート５によって複数枚の断熱シート４を連結するようにしてある。
【００１７】
そして断熱シート４は隣合う各垂木２間に配置し、断熱シート４の両側の通気シート５を垂木２にタッカー針などの固着具を用いて固定することによって、図６に示すように野地板３の裏面側に断熱シート４を取り付けることができるものである。ここで、通気シート５によって複数枚の断熱シート４を連結している場合、垂木２の上に野地板３を張る前に、通気シート５を垂木２の上に引っ掛けた状態で断熱シート４を垂木２間に配置することによって、断熱シート４を取り付けることができるものである。断熱シート４は野地板３の下面との間に隙間を設けるように垂木２の高さ方向の中段付近に配置されるものであり、断熱シート４と野地板３の間のこの隙間によって通気層１３が形成されるようにしてある。
【００１８】
また、寄せ棟部において登り梁１の下側にも、登り梁１のほぼ全長に亘って断熱シート４を配置して取り付けてある。断熱シート４は登り梁１の下面との間に隙間を設けた状態で、登り梁１を跨いで下側から覆うように配置されるものであり、断熱シート４の両側の通気シート５を垂木２（２ｂ）の下面にタッカー等の固着具で固定することによって、断熱シート５の取り付けを行なうようにしてある。この断熱シート４の上側の登り梁１との間の隙間（断熱シート４と野地板３との間の隙間でもある）によって、登り梁１に沿って通気層１４が形成されるものである。この通気層１４の上端は、棟木１０への登り梁１の接続部分において開口している。
【００１９】
ここで、垂木２間に設けられる断熱シート４（垂木２間の断熱シートを「４ａ」の符号で表示する）は、垂木２の上端部から下端部に至るほぼ全長に亘る範囲で取り付けられるが、棟木１０に接続される垂木２ａ間に設けられる断熱シート４ａの上端は、図２のように棟木１０や換気用開口部１８から若干離れた位置に配置されるようにしてあり、登り梁１に接続される垂木２ｂ間に設けられる断熱シート４ａの上端は、図１のように登り梁１から若干離れた位置に配置されるようにしてある。また図３は屋根の軒の部分を示す、図７のハ−ハ線断面図であって、２３は桁、２４は天井、２５は外壁であり、垂木２（２ａ，２ｂ）の下端部は桁２３の上に載置して取り付けてある。垂木２の下端の先端面に鼻隠し２６が取り付けてあり、鼻隠し２６と外壁２５との間に通気口２７を設けた軒天井２８が取り付けてある。そして断熱シート４ａの下端は、垂木２の下端の鼻隠し２６から若干離れた位置に配置されるようにしてある。
【００２０】
また図１のように、登り梁１に接続される垂木２ｂ間に設けられる断熱シート４ａの上端部は、登り梁１の下側に取り付けられる断熱シート４（登り梁１の下側の断熱シートを「４ｂ」の符号で表示する）の側端よりも内側に位置するように配置されるものである。従って、垂木２ｂ間において断熱シート４ａの上側に形成される通気層１３はその上端の開口で、断熱シート４ｂの上側に形成される通気層１４内に連通されるようにしてある。
【００２１】
上記の寄せ棟屋根において、屋根の断熱構造は垂木２間に設けられる断熱シート４ａによって形成されるものであり、さらに登り梁１の下側を覆う断熱シート４ｂによって、寄せ棟部の断熱構造を形成することができ、寄せ棟部の部分での断熱性を確保することができるものである。すなわち、野地板３の側から天井２４の側に放射される輻射熱を断熱シート４の上側の射熱材２１で遮断することができると共に、天井２４の側から野地板３の側に放射される輻射熱を断熱シート４の下側の射熱材２１で遮断することができるものであり、また断熱シート４の断熱材２０で野地板３の側と天井２４の側とを断熱することができるものである。さらに断熱シート４の上側に形成される通気層１３，１４によっても、野地板３の側と天井２４の側とを断熱することができるものである。
【００２２】
また、野地板３の裏側に位置する通気層１３内の空気が太陽熱で加熱されると、加熱された空気は通気層１３内に沿って上昇する。このとき、棟木１０に接続された垂木２ａ間に形成される通気層１３内の空気は、図２の矢印のように、この通気層１３内を上昇して棟木１０の部分に達し、換気用開口部１８を通して換気棟１２から外部に排出される。また登り梁１に接続された垂木２ｂ間に形成される通気層１３内の空気は、図１の矢印のように、この通気層１３内を上昇して登り梁１の周囲の通気層１４内に流入し、さらに登り梁１に沿って通気層１４内を上昇して棟木１０の部分に達し、換気用開口部１８を通して換気棟１２から外部に排出されるものである。そしてこのように通気層１３から加熱された空気が排出されるのに伴って、軒下の冷たい空気が図３の矢印のように軒天井２８の通気口２７から屋根裏を通して通気層１３に下端の開口から流入し、野地板３の裏面側に熱がこもらないように冷却することができるものである。
【００２３】
また木材で形成される野地板３、登り梁１、垂木２は、日中は湿気を放出すると共に夜間は湿気を吸収するというように、湿気を吸ったり放出したりする。そして野地板３や登り梁１の下側を覆う断熱シート４は、上記のようにその側端部の通気シート５を垂木２に固定することによって取り付けるようにしてある。従って、湿気は通気シート５を通過して断熱シート４の上側の通気層１３，１４と、断熱シート４の下側との間で流通することができるものであり（図６の矢印参照）、野地板３、登り梁１、垂木２が湿気を吸ったり放出したりすることが断熱シート４で妨げられるようなことがなくなると共に、湿気が通気層１３，１４内に滞留して野地板３、登り梁１、垂木２が腐ることを防ぐことができるものである。
【図面の簡単な説明】
【００２４】
【図１】本発明の実施の形態の一例を示すものであり、図７のロ−ロ線部分の断面図である。
【図２】同上の実施の形態の一例を示すものであり、図７のイ−イ線部分の断面図である。
【図３】同上の実施の形態の一例を示すものであり、図７のハ−ハ線部分の断面図である。
【図４】同上の実施の形態の一例を示す換気棟の部分の断面図である。
【図５】同上の断熱シートの断面図である。
【図６】同上の垂木間への断熱シートの取付状態を示す断面図である。
【図７】同上の寄せ棟屋根の下地構造を示す平面図である。
【図８】従来例を示す一部破断した斜視図である。
【符号の説明】
【００２５】
１  登り梁
２  垂木
３  野地板
４  断熱シート
５  通気シート
【図１】
2006152565.tif 000003
【図２】
2006152565.tif 000004
【図３】
2006152565.tif 000005
【図４】
2006152565.tif 000006
【図５】
2006152565.tif 000007
【図６】
2006152565.tif 000008
【図７】
2006152565.tif 000009
【図８】
2006152565.tif 000010